【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
可変表示の実行条件が成立した後に可変表示の開始条件が成立したことに基づいて、各々が識別可能な複数種類の識別情報を可変表示する可変表示手段を備え、前記識別情報の表示結果が予め定められた特定表示結果となった後に遊技者にとって有利な特定遊技状態とする遊技機であって、
前記可変表示手段の表示動作を制御する表示制御用ＣＰＵと、
複数種類の表示要素を示す複数種類の画像データを記憶する画像データ記憶手段と、
前記表示制御用ＣＰＵによる制御指令と、前記画像データ記憶手段から読み出された画像データとに基づいて、表示用データを作成した後、当該表示用データに基づいて前記可変表示手段に演出画像を表示させる画像プロセッサとを備え、
前記画像プロセッサは、前記画像データ記憶手段から読み出された画像データに基づき表示用データを作成する表示用データ作成手段を含み、
前記表示制御用ＣＰＵは、
遊技の進行状況に応じて所定の処理条件が成立することにより、前記画像データ記憶手段から読み出された画像データを用いた座標変換を伴う半透明合成を開始する旨の決定を行う画像処理決定手段と、
前記画像処理決定手段による開始する旨の決定結果に基づいて、所定の時点からの経過時間を計測するタイマ手段と、
前記複数種類の表示要素のうち第１表示要素と第２表示要素に対して、仮想３次元空間内にて奥行き位置を互いに異ならせて配置するための奥行き情報を、前記タイマ手段によって計測された経過時間に応じて所定の移動方向に変化させるように設定する奥行き情報設定手段と、
前記奥行き情報設定手段によって設定された奥行き情報に基づき、前記第１表示要素と前記第２表示要素のうち、前記仮想３次元空間における所定の視点からみて手前側に配置された表示要素の透明度が奥側に配置された表示要素の透明度に比べて低くなるように、前記第１表示要素と前記第２表示要素の透明度情報を設定する透明度情報設定手段とを含み、
前記表示用データ作成手段は、前記画像処理決定手段による開始する旨の決定結果に基づいて、前記奥行き情報設定手段によって設定された奥行き情報と、前記透明度情報設定手段によって設定された透明度情報と、前記第１表示要素を示す画像データと、前記第２表示要素を示す画像データとを用いた座標変換を伴う半透明合成により、前記表示用データを作成する描画処理手段を含む、
ことを特徴とする遊技機。
【手続補正２】
【補正対象書類名】明細書
【補正対象項目名】０００８
【補正方法】変更
【補正の内容】
【０００８】
前記表示制御用ＣＰＵは、前記奥行き情報設定手段によって設定された奥行き情報に基づき、前記第１表示要素と前記第２表示要素に対して、前記仮想３次元空間内における所定の回転方向への回転角度を示す回転量情報を、各表示要素の奥行き位置に応じて変化させるように設定する回転量情報設定手段（例えばＣＰＵ１３１がステップＳ４８０Ａの処理を実行する部分など）を含み、前記描画処理手段は、前記奥行き情報設定手段によって設定された奥行き情報と、前記透明度情報設定手段によって設定された透明度情報と、前記第１表示要素を示す画像データと、前記第２表示要素を示す画像データに加え、前記回転量情報設定手段によって設定された回転量情報を用いた座標変換を伴う半透明合成により、前記表示用データを作成してもよい（例えば描画回路１５５がステップＳ７０７における投影・合成描画処理として、ステップＳ７５１〜Ｓ７５３、Ｓ７５３Ａ、Ｓ７５３Ｂ、Ｓ７５４及びＳ７５５の処理を実行する部分など）。
【手続補正３】
【補正対象書類名】明細書
【補正対象項目名】０００９
【補正方法】変更
【補正の内容】
【０００９】
前記画像処理決定手段は、前記所定の処理条件として、前記可変表示手段に表示させる背景画像を変更するときに、座標変換を伴う半透明合成を開始する旨の決定を行ってもよい（例えばＣＰＵ１３１がステップＳ４２１にてＹｅｓの判定を行う部分など）。
【手続補正４】
【補正対象書類名】明細書
【補正対象項目名】００１０
【補正方法】変更
【補正の内容】
【００１０】
前記画像処理決定手段は、前記所定の処理条件として、識別情報の可変表示の表示結果が未だ導出表示されていない段階であって既に導出表示されている識別情報が前記特定表示結果となる条件を満たしているリーチとなったときに、座標変換を伴う半透明合成を開始する旨の決定を行ってもよい（例えばＣＰＵ１３１がステップＳ４２２及びＳ４２３にてＹｅｓの判定を行う部分など）。
【手続補正５】
【補正対象書類名】明細書
【補正対象項目名】００１１
【補正方法】変更
【補正の内容】
【００１１】
前記画像処理決定手段は、前記所定の処理条件として、前記可変表示手段にデモンストレーション画像を表示させるときに、座標変換を伴う半透明合成を開始する旨の決定を行ってもよい（例えばＣＰＵ１３１がステップＳ２９８またはＳ３００にてＹｅｓの判定を行う部分など）。
【手続補正６】
【補正対象書類名】明細書
【補正対象項目名】００１２
【補正方法】変更
【補正の内容】
【００１２】
前記画像データ記憶手段が記憶する画像データは、前記画像表示手段に対応した画素総数に比べて少ない画素数に対応して構成された第１画像データ（例えばＳＶＧＡ用となる第１スプライト画像データエリア１４２Ａ−１に記憶された画像データなど）と、第１画像データの対応する画素数とは異なり、前記画像表示手段に対応した画素総数に比べて少ない画素数に対応して構成された第２画像データ（例えばＶＧＡ用となる第２スプライト画像データエリア１４２Ａ−２に記憶された画像データなど）とを含み、前記画像プロセッサは、前記表示用データ作成手段により作成された表示用データに対応する演出画像を所定の拡大率で拡大して前記画像表示手段に対応した画素総数の演出画像として前記画像表示手段に表示させる拡大表示処理手段（例えば表示回路１５８など）を含み、前記表示制御用ＣＰＵは、遊技の進行状況に応じて所定の画像切替条件（例えば大当り遊技状態の終了後に確変状態に移行すること、確変状態が終了して通常状態に移行することなど）が成立することにより、前記可変表示手段に表示させる演出画像を、第１画像データに対応した演出画像と第２画像データに対応した演出画像との間で切り替える旨の決定を行う演出画像切替決定手段（例えばＣＰＵ１３１がステップＳ２９１、Ｓ２９３の処理を実行する部分など）と、前記演出画像切替決定手段による決定結果に対応して、前記拡大表示処理手段における演出画像の拡大率を変更させる画像切替時拡大率変更手段（例えばＣＰＵ１３１がステップＳ２９２、Ｓ２９５の処理を実行する部分など）と、前記演出画像切替決定手段による決定結果に対応して、前記画像データ記憶手段から読み出す画像データを第１画像データに対応した演出画像と第２画像データに対応した演出画像との間で変更させる画像切替時読出データ変更手段（例えばＣＰＵ１３１がステップＳ２９２、Ｓ２９５の処理を実行した後、ステップＳ２９６、Ｓ４０７の処理を実行する部分など）とを含んでもよい。
【手続補正７】
【補正対象書類名】明細書
【補正対象項目名】００１３
【補正方法】変更
【補正の内容】
【００１３】
前記表示制御用ＣＰＵは、前記画像プロセッサが前記画像データ記憶手段から所定の画像データを読み出す際のデータバス幅を、第１のバス幅（例えば６４ビット幅）に設定する第１バス幅設定手段（例えばＣＰＵ１３１がステップＳ２９２にて入出力ポート１３５からＶＤＰ１４１に対して確変開始用表示設定指令を送信させる部分など）と、所定のバス幅切替条件（例えばステップＳ４５１にてＹｅｓの判定がなされたことなど）が成立することにより、前記画像プロセッサが前記画像データ記憶手段から前記所定の画像データ以外の画像データを読み出す際のデータバス幅を、第１のバス幅とは異なる第２のバス幅（例えば３２ビット幅）に設定する第２バス幅設定手段（例えばＣＰＵ１３１がステップＳ４５２にて入出力ポート１３５からＶＤＰ１４１に対して動画像表示初期設定指令を送信させる部分など）とを含んでもよい。
【手続補正８】
【補正対象書類名】明細書
【補正対象項目名】００１４
【補正方法】変更
【補正の内容】
【００１４】
前記画像プロセッサは、前記画像データ記憶手段から読み出された画像データを一時記憶可能な一時記憶手段（例えば一時記憶メモリ１５６など）と、前記画像データ記憶手段から読み出された画像データの前記一時記憶手段に対する転送を制御する転送制御手段（例えば転送制御回路１５２など）と、前記表示用データ作成手段によって作成された表示用データを一時記憶する表示用データ記憶手段（例えばＶＲＡＭ１５７の描画用バッファ１５７Ａや表示用バッファ１５７Ｂなど）と、前記表示制御用ＣＰＵの起動に対応して、前記一時記憶手段における記憶領域を、所定の記憶領域を含む複数の領域に設定する記憶領域設定手段（例えばＣＰＵ１３１によるステップＳ５２の記憶領域設定指令処理に応じて、転送制御回路１５２がステップＳ６０３の記憶領域設定処理を実行する部分など）とを含み、前記表示制御用ＣＰＵは、前記記憶領域設定手段による記憶領域の設定の後、所定の転送条件（例えば演出制御用マイクロコンピュータ１２０の起動によりＣＰＵ１３１がステップＳ５１の処理を実行したこと、ステップＳ２９２及びＳ２９５の処理のいずれかが実行されたこと、ステップＳ３６２にてＹｅｓの判定がなされたことなど）が成立することにより、前記画像データ記憶手段に記憶されている複数種類の画像データのうち該画像要素データに対応した演出画像による画像表示の実行頻度が所要の画像データに対応した演出画像による画像表示の実行頻度に比べて高い画像データを、前記所定の記憶領域以外の記憶領域へ転送することを指令する転送条件成立時指令手段（例えばＣＰＵ１３１がステップＳ５３、Ｓ２９６及びＳ３６４のいずれかにて事前転送指令処理を実行する部分など）と、画像データの読出位置及び前記表示用データ記憶手段における書込位置を前記画像プロセッサに通知して演出画像の更新を指令する演出画像更新指令手段（例えばＣＰＵ１３１がステップＳ４０７にてスプライト画像更新指令処理を実行する部分など）とを含み、前記転送制御手段は、前記転送条件成立時指令手段からの指令に応じて、前記画像データ記憶手段に記憶されている複数種類の画像データのうち該画像データに対応した演出画像による画像表示の実行頻度が前記所要の画像データに対応した演出画像による画像表示の実行頻度に比べて高い画像データを、前記画像データ記憶手段から読み出して前記一時記憶手段における前記所定の記憶領域以外の記憶領域に転送する条件成立時データ転送手段（例えば転送制御回路１５２がステップＳ６０５にて事前転送処理を実行する部分など）と、前記演出画像更新指令手段から通知された画像データの読出位置が前記画像データ記憶手段に含まれるときに、前記画像データ記憶手段における読出位置から画像データを読み出して前記一時記憶手段における前記所定の記憶領域に転送する通常時データ転送手段（例えば転送制御回路１５２がステップＳ６０７にて自動転送制御処理を実行する部分など）とを含み、前記表示用データ作成手段は、前記通常時データ転送手段により前記所定の記憶領域に画像データが転送された後に、前記所定の記憶領域から画像データを読み出して前記演出画像更新指令手段から通知された前記表示用データ記憶手段における書込位置に書き込んで記憶させる第１データ書込処理手段（例えば描画回路１５５がステップＳ７０５にて自動転送描画処理を実行する部分など）と、前記演出画像更新指令手段から通知された画像データの読出位置が前記一時記憶手段に含まれるときに、前記一時記憶手段における読出位置から画像データを読み出して前記演出画像更新指令手段から通知された前記表示用データ記憶手段における書込位置に書き込んで記憶させる第２データ書込処理手段（例えば描画回路１５５がステップＳ７０３にて固定アドレス指定描画処理を実行する部分など）とを含んでもよい。
【手続補正９】
【補正対象書類名】明細書
【補正対象項目名】００１７
【補正方法】変更
【補正の内容】
【００１７】
回転量情報設定手段は、第１表示要素と第２表示要素に対して、仮想３次元空間内における所定の回転方向への回転角度を示す回転量情報を、各表示要素の奥行き位置に応じて変化させるように設定してもよい。そして、描画処理手段は、回転量情報設定手段によって設定された回転量情報も用いた座標変換を伴う半透明合成を行ってもよい。
これにより、演出表示による演出効果をさらに高めて、遊技興趣を向上させることができる。
【手続補正１０】
【補正対象書類名】明細書
【補正対象項目名】００１８
【補正方法】変更
【補正の内容】
【００１８】
画像処理決定手段が、可変表示手段に表示させる背景画像を変更するときに座標変換を伴う半透明合成を開始する旨の決定を行ってもよい。
これにより、例えば複数の演出モードに対応して複数の背景画像を切り替えて可変表示手段に表示させる場合に、背景画像を切り替える際に斬新な演出表示を行って演出効果を高め、遊技興趣を向上させることができる。
【手続補正１１】
【補正対象書類名】明細書
【補正対象項目名】００１９
【補正方法】変更
【補正の内容】
【００１９】
画像処理決定手段が、リーチとなったときに座標変換を伴う半透明合成を開始する旨の決定を行ってもよい。
これにより、リーチの際に斬新な演出表示を行って演出効果を高め、遊技興趣を向上させることができる。
【手続補正１２】
【補正対象書類名】明細書
【補正対象項目名】００２０
【補正方法】変更
【補正の内容】
【００２０】
画像処理決定手段が、可変表示手段にデモンストレーション画像を表示させるときに座標変換を伴う半透明合成を開始する旨の決定を行ってもよい。
これにより、デモンストレーション画像を表示する際に斬新な演出表示を行って演出効果を高めることができる。
【手続補正１３】
【補正対象書類名】明細書
【補正対象項目名】００２１
【補正方法】変更
【補正の内容】
【００２１】
画像データ記憶手段には画像表示手段に対応した総画素数に比べて少ない画素数に対応して構成された第１画像データと第２画像データが記憶されてもよい。そして、遊技の進行状況に対応して所定の画像切替条件が成立することにより、演出画像切替決定手段が、可変表示手段に表示させる演出画像を、第１画像データに対応した演出画像と第２画像データに対応した演出画像との間で切り替える旨の決定を行ってもよい。この決定結果に対応して、画像切替時拡大率変更手段が拡大表示処理手段における演出画像の拡大率を変更させ、画像切替時読出データ変更手段が画像データ記憶手段から読み出す画像データを第１画像データに対応した演出画像と第２画像データに対応した演出画像との間で変更させてもよい。
これにより、画像表示手段に対応した総画素数と同じ画素数に対応して構成された画像データを画像データ記憶手段に記憶させて演出画像の表示に使用する場合に比べてデータ容量が減少することから、画像データ記憶手段などの記憶手段における記憶容量を低減することができる。そして、画像切替条件の成立により演出画像を切り替えるとともに拡大率や画像データを変更させることで、遊技の進行状況に応じて適切な拡大率と画像データによる演出画像の表示が可能になり、画像表示による演出効果を高めて遊技の興趣を向上させることができる。
【手続補正１４】
【補正対象書類名】明細書
【補正対象項目名】００２２
【補正方法】変更
【補正の内容】
【００２２】
所定の画像データを読み出す際のデータバス幅を第１のバス幅に設定してもよい。その一方で、所定のバス幅切替条件が成立することにより、所定の画像データ以外の画像データを読み出す際のデータバス幅を第１のバス幅とは異なる第２のバス幅に設定してもよい。
これにより、画像データの容量や処理負担に応じてバス幅を変えることで、最適な構成と処理速度で画像データを処理することができる。
【手続補正１５】
【補正対象書類名】明細書
【補正対象項目名】００２３
【補正方法】変更
【補正の内容】
【００２３】
複数種類の画像データのうち該画像データに対応した演出画像による画像表示の実行頻度が所要の画像データに対応した演出画像による画像表示の実行頻度に比べて高い画像データを、条件成立時データ転送手段により、所定の転送条件が成立したことに対応して一時記憶手段における所定の記憶領域以外の記憶領域に転送して記憶させてもよい。そして、演出画像更新指令手段から通知された画像データの読出位置が画像データ記憶手段に含まれる場合には、通常時データ転送手段が画像データ記憶手段における読出位置から画像データを読み出して一時記憶手段における所定の記憶領域に転送した後、当該所定の記憶領域から第１データ読書処理手段が画像データを読み出して表示用データ記憶手段における書込位置に書き込んで記憶させてもよい。これに対して、演出画像更新指令手段から通知された画像データの読出位置が一時記憶手段に含まれる場合には、第２データ読書処理手段が一時記憶手段における読出位置から画像データを読み出して表示用データ記憶手段における書込位置に書き込んで記憶させてもよい。
これにより、一時記憶手段における所定の記憶領域に転送される画像データについては、画像データ記憶手段における読出位置と、表示用データ記憶手段における書込位置とを指定すれば、一時記憶手段の記憶位置を指定しなくても表示用データの作成に利用することができ、アドレス管理が容易になり、プログラム設計の負担を軽減することができる。その一方で、対応する演出画像による演出の実行頻度が所要の画像データに対応した演出画像による演出の実行頻度に比べて高く設定された画像データについては、一時記憶手段における読出位置を指定することで一時記憶手段に既に記憶されているデータを容易に再利用することができ、画像データ記憶手段から毎回読み出す必要がなくなるので、表示演出における制御負担を軽減することができる。また、画像表示の実行頻度が高い画像データについて、一時記憶手段の記憶内容にノイズなどによる誤りが発生した場合でも、その記憶内容を自動的に復元させることができる。